(57)【特許請求の範囲】
【請求項１】
外部機器を接続するための接続部と、
上記外部機器が保持するコンテンツを検索開始するための第１の操作ボタンと、
上記第１の操作ボタンが操作されたとき、上記コンテンツが項目毎に分類された階層構造でなるコンテンツリストを上記外部機器から取得するコンテンツリスト取得部と、
上記コンテンツリスト取得部により取得した上記コンテンツリストを記憶する記憶部と、
回転操作可能でかつ押下操作可能な操作子を有し、上記操作子が回転操作されたことに応じて所定の表示部に表示された上記コンテンツリストの項目を選択し、上記操作子が押下操作されたことに応じて上記コンテンツリストの表示対象を上位階層から下位階層へ遷移させ、かつ上記項目を決定するための第２の操作ボタンと、
上記コンテンツリストの表示対象を上記下位階層から上記上位階層へと戻すための第３の操作ボタンと、
上記第１の操作ボタンが操作されたと同時に、次の操作を促すために上記第２の操作ボタンの発光状態を変化させることにより操作ガイドを行う発光制御部と
を具えることを特徴とする車載機器。
【請求項２】
上記発光制御部は、
上記第１の操作ボタンが操作されると同時に上記第２の操作ボタンを点滅させ、上記第２の操作ボタンが操作されると同時に上記第２の操作ボタンを点灯させる
ことを特徴とする請求項１に記載の車載機器。
【請求項３】
上記第１の操作ボタン及び上記第３の操作ボタンは、
上記第１の操作ボタン乃至上記第３の操作ボタンが設けられたフロントパネル上の上記第２の操作ボタンと運転席との間のスペースに配置されている
ことを特徴とする請求項１に記載の車載機器。
【請求項４】
上記表示部に表示された上記コンテンツリストの項目に対して、一定の割合に応じた量だけ上記項目をジャンプ移動させるための第４の操作ボタンと、
上記第２の操作ボタンが所定の角度だけ回転操作される毎に上記割合を変化させる制御手段と
を具えることを特徴とする請求項１に記載の車載機器。
【発明の詳細な説明】
【技術分野】
【０００１】
本発明は、車載機器に関し、例えば車両に搭載されるオーディオビデオ装置（以下、これをカーオーディオビデオ装置と呼ぶ。）に適用して好適なものである。
【背景技術】
【０００２】
従来、カーオーディオビデオ装置においては、当該カーオーディオビデオ装置の内部に設けられたハードディスクドライブ等に大量の音楽コンテンツを記憶するようになされているものがある。
【０００３】
この種のカーオーディオビデオ装置では、階層構造でなるディレクトリによって音楽コンテンツを分類及び管理する場合が多い。そしてカーオーディオビデオ装置は、ユーザ操作に応じて上位階層から下位階層へ遷移し、ユーザ所望の音楽コンテンツを検索させるものがある（例えば、特許文献１参照）。
【特許文献１】特開2004-157661公報
【発明の開示】
【発明が解決しようとする課題】
【０００４】
ところで上述したカーオーディオビデオ装置では、ＵＳＢ（Universal Serial Bus）インタフェースを介して接続された外部機器である携帯音楽プレーヤに対して適用することを想定されておらず、当該携帯音楽プレーヤが保持する音楽コンテンツを検索する際、当該携帯音楽プレーヤのコンテンツリストを用いて分類及び管理することができないという問題があった。
【０００５】
また、このカーオーディオビデオ装置では、この前面に設けられた複数の操作ボタンがばらばらに配置されているため、音楽コンテンツを検索する際に必要な操作ボタンをユーザに探させなければならず、操作性が悪いという問題があった。
【０００６】
本発明は以上の点を考慮してなされたもので、外部機器が保持する音楽コンテンツに対しても操作性よく検索操作させ得る車載機器を提案しようとするものである。
【課題を解決するための手段】
【０００７】
かかる課題を解決するため本発明の車載機器においては、外部機器を接続するための接続部と、外部機器が保持するコンテンツを検索開始するための第１の操作ボタンと、第１の操作ボタンが操作されたとき、コンテンツが項目毎に分類された階層構造でなるコンテンツリストを外部機器から取得するコンテンツリスト取得部と、コンテンツリスト取得部により取得したコンテンツリストを記憶する記憶部と、回転操作可能でかつ押下操作可能な操作子を有し、操作子が回転操作されたことに応じて所定の表示部に表示されたコンテンツリストの項目を選択し、操作子が押下操作されたことに応じてコンテンツリストの表示対象を上位階層から下位階層へ遷移させ、かつ項目を決定するための第２の操作ボタンと、コンテンツリストの表示対象を下位階層から上位階層へと戻すための第３の操作ボタンと、第１の操作ボタンが操作されたと同時に、次の操作を促すために第２の操作ボタンの発光状態を変化させることにより操作ガイドを行う発光制御部とを設けるようにした。
【０００８】
これにより、外部機器のコンテンツリストからユーザ所望のコンテンツを検索させる際、第１の操作ボタン、第２の操作ボタン及び第３の操作ボタンにより操作させるだけでよく、また第１の操作ボタンの操作に応じて発光状態を変化させることにより特別な説明がなくとも直感的に次の操作を促すことができる。
【発明の効果】
【０００９】
本発明によれば、外部機器のコンテンツリストからユーザ所望のコンテンツを検索させる際、第１の操作ボタン、第２の操作ボタン及び第３の操作ボタンにより操作させるだけでよく、また第１の操作ボタンの操作に応じて発光状態を変化させることにより特別な説明がなくとも直感的に次の操作を促すことができ、かくして外部機器が保持するコンテンツに対しても操作性よく検索操作させ得る車載機器を実現できる。
【発明を実施するための最良の形態】
【００１０】
以下に、図面について、本発明の一実施の形態を詳述する。
【００１１】
（１）カーオーディオビデオ装置の全体構成
（１−１）カーオーディオビデオ装置の外観構成
図１（Ａ）及び（Ｂ）に示すように、１は全体として本発明の車載機器に相当するカーオーディオビデオ装置を示し、本体部２の前面２Ａにフロントパネル３が設けられており、ユーザの操作に応じてラジオ放送の受信やＣＤの再生等を行い、本体部２と接続されたスピーカ（図示せず）を介してその音声をユーザに聴取させるようになされている。
【００１２】
このカーオーディオビデオ装置１は、図示しない車両に取り付けられた際、その車両の空間的な制約等から、本体部２の大部分がダッシュボード内に埋め込まれ、フロントパネル３だけがダッシュボードの外部に露出するように取り付けられることが想定されている。
【００１３】
また、このカーオーディオビデオ装置１は、車両の左側に運転席が設けられた所謂左ハンドル車に取り付けることが想定されている。
【００１４】
実際上、カーオーディオビデオ装置１は、いわゆるＤＩＮ（Deutsche Industrie Normen：ドイツ連邦規格）サイズに準拠しており、横幅が約１７８［mm］、高さが約５０［mm］となるように本体部２及びフロントパネル３が構成されている。
【００１５】
フロントパネル３は、前面３Ａにユーザの操作を受け付けるための操作ボタン群４及びナンバーボタン群５と、当該ユーザに各種情報を提供するためのＬＣＤ（Liquid Crystal Display）、有機ＥＬ（Electroluminescence）又はＶＦＤ（Vacuum Fluorescent Display）等でなる表示部６とが設けられており、いわゆるユーザインタフェースとして機能するようになされている。
【００１６】
またフロントパネル３は、その前面３Ａにおける表示部６の右側にＵＳＢ（Universal Serial Bus）規格に準拠したＵＳＢインタフェース７、及び当該ＵＳＢインタフェース７の下方にＡＵＸ（Auxiliary）入力端子８が設けられている。このＵＳＢインタフェース７は、ＵＳＢ規格に準拠したＵＳＢメモリ、及びＵＳＢケーブルを介して携帯音楽プレーヤ等が装着されることを前提としている。
【００１７】
このフロントパネル３は、左右両側の下方において、本体部２から前方に突出して設けられたフロントパネル支持板１０の回転軸１０Ｘにより軸支されている。また図１（Ｂ）に示すように、本体部２の前面２Ａには、フロントパネル３を閉状態にロックするためのロック爪１１が設けられており、これに応じてフロントパネル３の背面３Ｂには、当該ロック爪１１と係合するためのロック爪受部１２が設けられている。
【００１８】
フロントパネル３は、ロック爪受部１２に対して本体部２のロック爪１１が係合しロックされることにより、図１（Ａ）に示したように、当該フロントパネル３の背面３Ｂが本体部２の前面２Ａと対向するような閉じた状態、すなわちフロントパネル３の前面３Ａが前方向を向く状態（以下、これを閉状態と呼ぶ。）に保持するようになされている。
【００１９】
さらにフロントパネル３は、右上部にオープンボタン９が設けられており、ユーザによって当該オープンボタン９が押下操作された際、本体部２のロック爪１１とフロントパネル３のロック爪受部１２とのロック状態が解除され、フロントパネル支持板１０の回転軸１０Ｘを中心に前下方向へ回転するようになされている。この結果、フロントパネル３は、図１（Ｂ）に示したように、前面３Ａが下方向を向き背面３Ｂが上方向を向く開いた状態（以下、これを開状態と呼ぶ。）となる。
【００２０】
本体部２の前面２Ａには、ＣＤ（Compact Disk）メディア（直径約１２０［mm］、厚さ約１．２［mm］）を挿入又は排出するためのディスク挿入口１３が設けられている。ちなみにカーオーディオビデオ装置１は、このように本体部２の前面２Ａに当該ディスク挿入口１３が設けられることにより、フロントパネル３における操作ボタン群４及びナンバーボタン群５の数や配置、或いは表示部６の大きさ等に関する設計上自由度を向上させ得るようになされている。
【００２１】
また本体部２の前面２Ａには、フロントパネル３との間で電気信号をやり取りするためのコネクタ１４が設けられている。これに応じてフロントパネル３の背面３Ｂには、当該コネクタ１４と対応する位置にコネクタ１５が設けられている。
【００２２】
このコネクタ１４及びコネクタ１５は、図１（Ａ）に示した閉状態において互いに接触するようになされており、この閉状態において本体部２とフロントパネル３とを電気的に接続するようになされている。一方、コネクタ１４及びコネクタ１５は、図１（Ｂ）に示した開状態において互いに切り離されるため、フロントパネル３を本体部２から電気的に遮断するようになされている。
【００２３】
因みにカーオーディオビデオ装置１では、盗難抑止等の観点から、例えば車両の駐車時に本体部２からフロントパネル３を取り外しておくことも想定されているため、コネクタ１４及びコネクタ１５により当該本体部２と当該フロントパネル３とを電気的に接続及び分離し得るようになされている。
【００２４】
このようにカーオーディオビデオ装置１は、本体部２に対してフロントパネル３が開閉され得るようになされており、閉状態ではフロントパネル３と本体部２とが電気的に接続され、開状態ではフロントパネル３が本体部２から電気的に遮断されるようになされている。
【００２５】
（１−２）フロントパネルの外観構成
次にフロントパネル３の構成について詳しく説明する。フロントパネル３の前面３Ａには、図２に示すように、表示部６の左側、すなわち当該表示部６よりも運転手側に操作ボタン群４（図１（Ａ））として、電源オフボタン２１、ソースボタン２２、モードボタン２３、ＡＭＳ（Auto Music Scan）＋ボタン２４、ＡＭＳ−ボタン２５、ロータリーエンコーダボタン２６、ブラウズボタン２７及びバックボタン２８が設けられている。
【００２６】
このフロントパネル３には、ロータリーエンコーダボタン２６に対して、右上にソースボタン２２、右隣にＡＭＳ＋ボタン２４、右下にモードボタン２３、左上にブラウズボタン２７、左隣にＡＭＳ−ボタン２５、及び左下にバックボタン２８がそれぞれ配置されている。
【００２７】
ロータリーエンコーダボタン２６は、回転操作可能でかつ押下操作可能な操作子を有し、その操作子の周縁にリング照明２６Ａが設けられている。このリング照明２６Ａは、透光性材料等によって作られており、その内部に設けられた発光ダイオード（以下、これをＬＥＤ（Light Emitting Diode）と呼ぶ。）を発光させることによって、当該リング照明２６Ａを点滅又は点灯させるようになされている。
【００２８】
ブラウズボタン２７及びバックボタン２８についても、透光性材料等によって作られており、その内部に設けられたＬＥＤを発光させることによって、当該ブラウズボタン２７及び当該バックボタン２８を点灯させるようになされている。
【００２９】
なおブラウズボタン２７は、その表面に対して「検索」をイメージさせる虫眼鏡をモチーフとしたマーク（以下、これを虫眼鏡マークと呼ぶ。）２７Ａが付されており、点灯することによって当該虫眼鏡マーク２７Ａを目立たせることができる。またバックボタン２８は、その表面に対して「戻る」ことをイメージさせるバックマーク２８Ａが付されており、点灯することによって当該バックマーク２８Ａを目立たせることができる。
【００３０】
カーオーディオビデオ装置１は、フロントパネル３のソースボタン２２が押下操作されると、ラジオ放送、及びＣＤ等のソースを順に切り替え、当該押下操作されたことにより選択されたラジオ放送、又はＣＤ等の音声をスピーカを介して出力するようになされている。
【００３１】
またカーオーディオビデオ装置１は、ラジオ放送の音声を出力している際、モードボタン２３が押下操作されると、ＡＭ放送、ＦＭ放送を切り替え、その切り替えたＡＭ放送又はＦＭ放送の音声をスピーカを介して出力するようになされている。
【００３２】
カーオーディオビデオ装置１は、例えばＣＤの音楽コンテンツを再生中、ＡＭＳ＋ボタン２４が押下操作されると、現在再生中の次の曲の再生を開始し、ＡＭＳ−ボタン２５が押下操作されると、現在再生中の一つ前の曲の再生を開始するようになされている。
【００３３】
さらにカーオーディオビデオ装置１は、ロータリーエンコーダボタン２６が右方向へ回転操作されると、再生音量を増加させ、ロータリーエンコーダボタン２６が左方向へ回転操作されると、再生音量を減少させるようになされている。
【００３４】
さらにカーオーディオビデオ装置１は、ブラウズボタン２７が押下操作されると、後述するブラウズモードのアプリケーションプログラムを起動し、当該ブラウズモードへ遷移するようになされている。
【００３５】
（１−３）カーオーディオビデオ装置の回路構成
次にカーオーディオビデオ装置１を構成する本体部２及びフロントパネル３の回路構成について説明するが、ここでは、その全てではなく、後述するブラウズモードを実行するための構成部分について主に説明する。
【００３６】
カーオーディオビデオ装置１の本体部２は、図３に示すように、図示しない車両のバッテリから電源電力の供給を受けて動作するようになされており、ＣＰＵ（Central Processing Unit）３１がＲＯＭ（Read Only Memory）３２から読み出してＲＡＭ（Random Access Memory）３３に立ち上げられた基本プログラムに従って全体を統括制御すると共に、各種アプリケーションプログラムに従ってチューナ部３４によるラジオ放送の受信出力、ＣＤ再生部３５によるＣＤ再生出力等を行うようになされている。
【００３７】
カーオーディオビデオ装置１のＣＰＵ３１は、ラジオ放送の音声及びＣＤ再生音声を電子ボリューム部３６及びアンプ３７により所定レベルに増幅した後、スピーカから出力すると共に、そのＣＤ再生音声の再生時間や曲名等をフロントパネル３の表示部６に表示するようになされている。
【００３８】
フロントパネル３の入力処理部４１は、ブラウズボタン２７及びバックボタン２８が押下操作された場合、その旨を示す押下信号をＣＰＵ３１へ送出する。またフロントパネル３の入力処理部４１は、ロータリーエンコーダボタン２６が押下操作されると、押下操作検出部４７を介してその旨を示す押下信号をＣＰＵ３１へ送出するようになされている。
【００３９】
これによりカーオーディオビデオ装置１のＣＰＵ３１は、ロータリーエンコーダボタン２６、ブラウズボタン２７及びバックボタン２８が押下操作されたことを認識するようになされている。
【００４０】
またフロントパネル３の入力処理部４１は、ロータリーエンコーダボタン２６の回転検出部４６により当該ロータリーエンコーダボタン２６が右方向へ所定角度回転操作される毎に発生する右回転信号をＣＰＵ３１へ送出し、ロータリーエンコーダボタン２６が左方向へ所定角度回転操作される毎に発生する左回転信号をＣＰＵ３１へ送出するようになされている。
【００４１】
これによりカーオーディオビデオ装置１のＣＰＵ３１は、ロータリーエンコーダボタン２６が右方向又は左方向に回転操作されたことを認識するようになされている。
【００４２】
またカーオーディオビデオ装置１のＣＰＵ３１は、リング照明２６Ａ（図２）の内方に設けられたリングＬＥＤ４４と、ブラウズボタン２７及びバックボタン２８の内方に設けられたボタンＬＥＤ４５とをフロントパネル３のＬＥＤ処理部４２を介して点灯及び消灯させるようになされている。
【００４３】
またカーオーディオビデオ装置１では、ＵＳＢインタフェース７を介して例えば携帯音楽プレーヤが接続された場合、携帯音楽プレーヤから送信される音楽コンテンツをＵＳＢ接続処理部３８によりＣＰＵ３１へ送出するようになされている。
【００４４】
このときカーオーディオビデオ装置１のＣＰＵ３１は、ＵＳＢインタフェース７及びＵＳＢ接続処理部３８を介して供給される音楽コンテンツを受信しながら同時に再生するという所謂ストリーミング再生を行うようになされている。
【００４５】
（２）各種モード
カーオーディオビデオ装置１における各種モードとして通常再生モードとブラウズモードとに分けて説明する。
【００４６】
（２−１）通常再生モード
カーオーディオビデオ装置１のＣＰＵ３１は、電源電力が供給されたことによりカーオーディオビデオ装置１が起動した場合、若しくはソースボタン２２が押下操作されたことを認識した場合、ラジオ放送又はＣＤの音声を出力する通常再生モードを実行するようになされている。
【００４７】
カーオーディオビデオ装置１のＣＰＵ３１は、ソースボタン２２が押下操作されたことを認識すると、ラジオ放送、ＣＤとソースを順に切り替えていき、例えばラジオ放送が選択された場合、チューナ部３４により受信したラジオ放送の音声をスピーカを介して出力すると共に、当該受信したラジオ放送局名等を表示部６に表示する。
【００４８】
またカーオーディオビデオ装置１のＣＰＵ３１は、ソースボタン２２の押下操作により例えばＣＤが選択された場合、ＣＤ再生部３５に対してＣＤの音楽コンテンツを再生させ、その再生音声をスピーカを介して出力すると共に、当該音楽コンテンツに対応した曲名等を表示部６に表示する。
【００４９】
このようにしてカーオーディオビデオ装置１のＣＰＵ３１は、通常再生モードを実行するようになされている。
【００５０】
（２−２）ブラウズモード
ここでカーオーディオビデオ装置１は、ブラウズモードへ遷移すると、ＵＳＢインタフェース７及びＵＳＢ接続処理部３８を介して接続された携帯音楽プレーヤから図４に示すようなコンテンツリストＣＬを取得し、当該携帯音楽プレーヤが保持している音楽コンテンツを、当該コンテンツリストＣＬを介してユーザに検索させるようになされている。
【００５１】
このコンテンツリストＣＬは、階層構造でなる。コンテンツリストＣＬの最上位階層には、携帯音楽プレーヤが保持している全ての音楽コンテンツ「ＡＬＬ」、ユーザが作成したプレイリスト「Ｐｌａｙｌｉｓｔｓ」、アーティスト「Ａｒｔｉｓｔｓ」、アルバム「Ａｌｂｕｍｓ」、ジャンル「Ｇｅｎｒｅｓ」及びポッドキャスト「Ｐｏｄｃａｓｔ」等を選択させるための項目が設けられている。
【００５２】
またコンテンツリストＣＬにおけるプレイリスト「Ｐｌａｙｌｉｓｔｓ」の下位階層には、第１プレイリスト「Ｐｌａｙｌｉｓｔ０１」、第２プレイリスト「Ｐｌａｙｌｉｓｔ０２」等のプレイリストを選択させるための項目が設けられている。
【００５３】
なおコンテンツリストＣＬにおける第１プレイリスト「Ｐｌａｙｌｉｓｔ０１」の下位階層には、当該第１プレイリスト「Ｐｌａｙｌｉｓｔ０１」に分類及び管理された音楽コンテンツの曲名「Ｔｒａｃｋｓ」が項目として複数設けられている。
【００５４】
因みにコンテンツリストＣＬでは、アーティスト「Ａｒｔｉｓｔｓ」の下位階層に第１アーティスト名「Ａｒｔｉｓｔ０１」及び第２アーティスト名「Ａｒｔｉｓｔ０２」、アルバム「Ａｌｂｕｍｓ」の下位階層に第１アルバム名「Ａｌｂｕｍ０１」及び第２アルバム名「Ａｌｂｕｍ０２」、ジャンル「Ｇｅｎｒｅｓ」の下位階層に第１ジャンル名「Ｇｅｎｒｅ０１」及び第２ジャンル名「Ｇｅｎｒｅ０２」、ポッドキャスト「Ｐｏｄｃａｓｔ」の下位階層に第１ポッドキャスト名「Ｐｏｄｃａｓｔ０１」及び第２ポッドキャスト名「Ｐｏｄｃａｓｔ０２」がそれぞれ各項目として設けられている。
【００５５】
なおカーオーディオビデオ装置１のＣＰＵ３１は、ブラウズモードへ遷移する前、コンテンツリストＣＬの各項目を表示部６に表示する方法として、１行表示及び複数行表示のどちらかを予めユーザに設定させるようになされており、複数行表示のうち例えば３行表示が選択された場合について以下説明する。
【００５６】
実際上、カーオーディオビデオ装置１のＣＰＵ３１は、ブラウズモードへ遷移するに当たって、図５に示すように、当該ブラウズモードにおける音楽コンテンツ検索及びイルミネーションガイダンス処理を実行し、ルーチンＲＴ１の開始ステップから入って次のステップＳＰ１へ移る。
【００５７】
ステップＳＰ１においてカーオーディオビデオ装置１のＣＰＵ３１は、フロントパネル３のブラウズボタン２７が押下操作されたか否かを判断し、否定結果が得られると再度ステップＳＰ１へ戻り、ブラウズボタン２７が押下操作されるまで待ち受けるのに対し、肯定結果が得られると次のステップＳＰ２へ移る。
【００５８】
ステップＳＰ２においてカーオーディオビデオ装置１のＣＰＵ３１は、ＵＳＢインタフェース７及びＵＳＢ接続処理部３８を介して接続された携帯音楽プレーヤからコンテンツリストＣＬ（図４）を取得し、当該コンテンツリストＣＬをＲＡＭ３３に書き込むと共に、ＬＥＤ処理部４２を介してリングＬＥＤ４４を点滅させることにより、ロータリーエンコーダボタン２６の周縁に設けられたリング照明２６Ａを点滅させ、次のステップＳＰ３へ移る。
【００５９】
これによりカーオーディオビデオ装置１は、ユーザに対して、次に実行すべき操作がロータリーエンコーダボタン２６に対する操作であることを視覚的に通知し、当該ロータリーエンコーダボタン２６に対する操作を促すことができる。
【００６０】
ステップＳＰ３においてカーオーディオビデオ装置１のＣＰＵ３１は、ロータリーエンコーダボタン２６が回転操作されたか否かを判断し、否定結果が得られると再度ステップＳＰ３へ戻り、ロータリーエンコーダボタン２６が回転操作されるまで待ち受けるのに対し、肯定結果が得られると次のステップＳＰ４へ移る。
【００６１】
ステップＳＰ４においてカーオーディオビデオ装置１のＣＰＵ３１は、ロータリーエンコーダボタン２６に対する回転操作に応じてコンテンツリストＣＬの項目を切り替えながら表示部６に表示すると共に、ＬＥＤ処理部４２を介してリングＬＥＤ４４を発光させることによってリング照明２６Ａを点灯させ、次のステップＳＰ５へ移る。
【００６２】
このステップＳＰ４において、カーオーディオビデオ装置１のＣＰＵ３１は、図６（Ａ）に示すように、「検索」をイメージさせるブラウズアイコンＢＩと、ＲＡＭ３３に書き込んだ当該コンテンツリストＣＬの最上位階層の項目である例えばアーティスト「Ａｒｔｉｓｔｓ」、アルバム「Ａｌｂｕｍｓ」及びジャンル「Ｇｅｎｒｅｓ」を表示した３行表示領域ＴＡと、３行表示領域ＴＡの中央の項目を選択するための選択カーソルＣＳとからなる選択画面ＴＧ１を生成し、当該選択画面ＴＧ１を表示部６に表示する。
【００６３】
なおカーオーディオビデオ装置１のＣＰＵ３１は、ロータリーエンコーダボタン２６が右方向へ回転操作され、回転検出部４６及び入力処理部４１を介して右回転信号を受信する毎に、３行表示領域ＴＡに表示する項目を下から上へ順に移動させながら表示するようになされている。
【００６４】
またカーオーディオビデオ装置１のＣＰＵ３１は、ロータリーエンコーダボタン２６が左方向へ回転操作され、回転検出部４６及び入力処理部４１を介して左回転信号を受信する毎に、３行表示領域ＴＡに表示する項目を上から下へ順に移動させながら表示するようになされている。
【００６５】
カーオーディオビデオ装置１のＣＰＵ３１は、選択画面ＴＧ１（図６（Ａ））において、選択カーソルＣＳがアルバム「Ａｌｂｕｍｓ」をフォーカスしている状態で、ロータリーエンコーダボタン２６が押下操作されたことを認識すると、３行表示領域ＴＡへの表示対象項目を当該アルバム「Ａｌｂｕｍｓ」の下位階層へ遷移する。
【００６６】
そのとき、カーオーディオビデオ装置１のＣＰＵ３１は、図６（Ｂ）に示すように、ブラウズアイコンＢＩと、コンテンツリストＣＬにおけるアルバム「Ａｌｂｕｍｓ」の下位階層の項目のうち、第９アルバム名「Ａｌｂｕｍ０９」、第１アルバム名「Ａｌｂｕｍ０１」及び第２アルバム名「Ａｌｂｕｍ０２」を表示した３行表示領域ＴＡと、選択カーソルＣＳとからなるアルバム選択画面ＴＧ２を生成し、当該アルバム選択画面ＴＧ２を表示部６に表示する。
【００６７】
そしてカーオーディオビデオ装置１のＣＰＵ３１は、アルバム選択画面ＴＧ２において、選択カーソルＣＳが第１アルバム名「Ａｌｂｕｍ０１」をフォーカスしている状態で、ロータリーエンコーダボタン２６が押下操作されたことを認識すると、３行表示領域ＴＡへの表示対象項目を当該第１アルバム名「Ａｌｂｕｍ０１」の下位階層へ遷移する。
【００６８】
このとき、カーオーディオビデオ装置１のＣＰＵ３１は、図６（Ｃ）に示すように、ブラウズアイコンＢＩと、コンテンツリストＣＬにおける第１アルバム名「Ａｌｂｕｍ０１」の下位階層の項目のうち、曲名「Ｔｒａｃｋ１０００」、曲名「Ｔｒａｃｋ０１」及び曲名「Ｔｒａｃｋ０２」を表示した３行表示領域ＴＡと、選択カーソルＣＳとからなる曲選択画面ＴＧ３を生成し、当該曲選択画面ＴＧ３を表示部６に表示する。
【００６９】
ステップＳＰ５（図５）において、カーオーディオビデオ装置１のＣＰＵ３１は、ブラウズモードにおいて後述するジャンプモードへ遷移するためのＡＭＳ＋ボタン２４が押下操作されたか否かを判断し、否定結果が得られるとステップＳＰ７へ移るのに対し、肯定結果が得られると次のステップＳＰ６へ移る。
【００７０】
ステップＳＰ６においてカーオーディオビデオ装置１のＣＰＵ３１は、ＡＭＳ＋ボタン２４が押下操作させたことに応じてジャンプモードへ遷移し、次のステップＳＰ７へ移る。
【００７１】
このステップＳＰ６において、カーオーディオビデオ装置１のＣＰＵ３１は、曲選択画面ＴＧ３（図６（Ｃ））を表示部６に表示している状態で、フロントパネル３のＡＭＳ＋ボタン２４が押下操作されたことを認識すると、図６（Ｄ）に示すように、上述したブラウズアイコンＢＩと、ジャンプモード通知領域ＪＭと、ジャンプ数表示領域ＪＮと、サイドバーＳＢとからなるジャンプモード画面ＴＧ４を最初に生成し、当該ジャンプモード画面ＴＧ４を表示部６に表示する。
【００７２】
ここで、ジャンプモード通知領域ＪＭでは、ジャンプモードであることをユーザに通知及び目視確認させるために「ジャンプモード」と表示する。また、ジャンプ数表示領域ＪＮでは、曲選択画面ＴＧ３の３行表示領域ＴＡに表示した項目が存在する階層の項目数（以下、これを全項目数と呼ぶ。）「１０００」を分母とし、当該階層の何番目の項目に移動するかを示した数（以下、これをジャンプ数と呼ぶ。）「１」を分子として表示する。さらにサイドバーＳＢでは、全体項目数に対してジャンプ数がどの位置であるかユーザに目視確認させるための位置表示マークＰＭを、当該ジャンプ数に応じて移動させながら表示する。
【００７３】
そしてカーオーディオビデオ装置１のＣＰＵ３１は、図６に続く図７（Ｅ）に示すように、ジャンプモード画面ＴＧ４（図６（Ｄ））を表示部６に表示している状態で、ロータリーエンコーダボタン２６が右方向へ回転操作され、回転検出部４６及び入力処理部４１を介して右回転信号を受信すると、全項目数「１０００」の１０％に相当する「１００」をジャンプ数とするジャンプモード画面ＴＧ５を生成し、当該ジャンプモード画面ＴＧ５を表示部６に表示する。
【００７４】
カーオーディオビデオ装置１のＣＰＵ３１は、図７（Ｆ）に示すように、ジャンプモード画面ＴＧ５（図７（Ｅ））を表示部６に表示している状態で、ロータリーエンコーダボタン２６が右方向へ回転操作され、回転検出部４６及び入力処理部４１を介して右回転信号を再び受信すると、全項目数「１０００」の２０％に相当する「２００」をジャンプ数とするジャンプモード画面ＴＧ６を生成し、当該ジャンプモード画面ＴＧ６を表示部６に表示する。
【００７５】
このようにしてカーオーディオビデオ装置１のＣＰＵ３１は、ロータリーエンコーダボタン２６が右方向へ回転操作され、回転検出部４６及び入力処理部４１を介して右回転信号を受信する毎に、ジャンプ数を全項目数の１０％に応じた量だけ増加させ、そのジャンプ数が付されたジャンプ数表示領域ＪＮを表示部６に表示するようになされている。
【００７６】
またカーオーディオビデオ装置１のＣＰＵ３１は、例えばジャンプモード画面ＴＧ６（図７（Ｆ））を表示部６に表示している状態で、ロータリーエンコーダボタン２６が左方向へ回転操作され、回転検出部４６及び入力処理部４１を介して左回転信号を受信すると、全項目数「１０００」の１０％に相当する「１００」をジャンプ数とするジャンプモード画面ＴＧ５（図７（Ｅ））を生成し、当該ジャンプモード画面ＴＧ５を表示部６に表示する。
【００７７】
従ってカーオーディオビデオ装置１のＣＰＵ３１は、ロータリーエンコーダボタン２６が左方向へ回転操作され、回転検出部４６及び入力処理部４１を介して左回転信号を受信する毎に、ジャンプ数を全項目数の１０％に応じた量だけ減少させ、そのジャンプ数が付されたジャンプ数表示領域ＪＮを表示部６に表示するようになされている。
【００７８】
カーオーディオビデオ装置１のＣＰＵ３１は、ロータリーエンコーダボタン２６が右方向へ回転操作されたことに応じて例えばジャンプモード画面ＴＧ７（図７（Ｇ））のようにジャンプ数表示領域ＪＮに「８００／１０００」と表示した状態で、ロータリーエンコーダボタン２６が押下操作されたことを認識すると、ジャンプ数「８００」に応じた項目へ移動することによって、曲名「Ｔｒａｃｋ７９９」、曲名「Ｔｒａｃｋ８００」及び曲名「Ｔｒａｃｋ８０１」を３行表示領域ＴＡに表示した曲選択画面ＴＧ８（図７（Ｈ））を生成し、当該曲選択画面ＴＧ８を表示部６に表示する。
【００７９】
ステップＳＰ７（図５）においてカーオーディオビデオ装置１のＣＰＵ３１は、ユーザ操作によって選択された曲名「Ｔｒａｃｋ８００」の音楽コンテンツを携帯音楽プレーヤから受信し、当該音楽コンテンツを再生し、ステップＳＰ８へ移って処理を終了する。
【００８０】
このステップＳＰ７において、カーオーディオビデオ装置１のＣＰＵ３１は、曲選択画面ＴＧ８（図７（Ｈ））において選択カーソルＣＳが曲名「Ｔｒａｃｋ８００」をフォーカスしている状態で、ロータリーエンコーダボタン２６が押下操作されたことを認識すると、ＵＳＢインタフェース７及びＵＳＢ接続処理部３８を介して接続された携帯音楽プレーヤから曲名「Ｔｒａｃｋ８００」に対応する音楽コンテンツを当該携帯音楽プレーヤから受信し、当該音楽コンテンツに対応する音声を電子ボリューム部３６及びアンプ３７により所定レベルに増幅した後、その増幅した音声をスピーカから出力するというストリーミング再生を行う。
【００８１】
このとき図７（Ｉ）に示すように、カーオーディオビデオ装置１のＣＰＵ３１は、曲名「Ｔｒａｃｋ８００」の音楽コンテンツに対するストリーミング再生を行うと同時に、その音楽コンテンツのデータ形式「ｍｐ３」を表示した音楽データ形式表示領域ＭＤと、その音楽コンテンツの曲名「Ｔｒａｃｋ８００」を表示した曲名表示領域ＭＭと、その音楽コンテンツに対する再生時間「００：０３」を表示した再生時間表示領域ＳＴと、その音楽コンテンツに対する再生形式である例えばイコライザの一のモード「ＧＲＡＶＩＴＹ」、コーデックエンハンサ（Codec Enhancer）「ＤＭ＋」、及び「ＳＨＵＦ」等を表示した再生形式表示領域ＳＭとからなる曲再生画面ＴＧ９を生成し、その曲再生画面ＴＧ９を表示部６に表示する。
【００８２】
このようにカーオーディオビデオ装置１は、ブラウズボタン２７が押下操作されたことに応じてブラウズモードへ遷移し、リング照明２６Ａを点滅させることによって、次に実行すべき操作がロータリーエンコーダボタン２６に対する操作であることを視覚的に通知し、ロータリーエンコーダボタン２６が回転操作されたことに応じてリング照明２６Ａを点灯させることにより、当該ロータリーエンコーダボタン２６に対する操作の促しを終了すると同時に、当該ロータリーエンコーダボタン２６が操作中であることを通知する。
【００８３】
そして、カーオーディオビデオ装置１は、コンテンツリストＣＬの項目を表示部６に３行表示し、ロータリーエンコーダボタン２６を押下操作させることによってコンテンツリストＣＬの上位階層から下位階層へ遷移させることにより、携帯音楽プレーヤが保持している音楽コンテンツをカーオーディオビデオ装置１を介してユーザに検索させるようにした。
【００８４】
またカーオーディオビデオ装置１は、音楽コンテンツを検索する際に使用されているコンテンツリストＣＬを当該携帯音楽プレーヤから取得するため、携帯音楽プレーヤに新たなコンテンツリストＣＬを生成させる必要がなく、また、当該カーオーディオビデオ装置１において新たなコンテンツリストＣＬを生成する必要もなく、その取得したコンテンツリストＣＬをブラウズモードに用いることにより、フロントパネル３の表示部６を介して携帯音楽プレーヤと同様の検索手法をユーザに提供することができる。
【００８５】
さらにカーオーディオビデオ装置１のＣＰＵ３１は、ＡＭＳ＋ボタン２４の押下操作に応じてジャンプモードへ遷移することによって、同一階層に多くの項目が存在する場合、一定割合に応じた量だけ項目を移動させた後、ロータリーエンコーダボタン２６の回転操作により検索を行うことができるので、ロータリーエンコーダボタン２６に対する最少量の回転操作だけで所望の項目（曲名）を検索させることができる。
【００８６】
ところでカーオーディオビデオ装置１のＣＰＵ３１は、例えば曲選択画面ＴＧ３（図６（Ｃ））を表示部６に表示している状態で、バックボタン２８が押下操作されたことを認識すると、アルバム選択画面ＴＧ２（図６（Ｂ））を再び生成し、当該アルバム選択画面ＴＧ２を表示部６に表示するようになされている。
【００８７】
このようにカーオーディオビデオ装置１のＣＰＵ３１は、バックボタン２８が押下操作されると、３行表示領域ＴＡに表示される項目をコンテンツリストＣＬの下位階層から上位階層へ戻すようになされている。
【００８８】
なおカーオーディオビデオ装置１のＣＰＵ３１は、図８（Ａ）に示すように、予めユーザにより１行表示が選択された場合、ブラウズボタン２７が押下操作されたことを認識し、携帯音楽プレーヤからコンテンツリストＣＬを取得すると、ブラウズアイコンＢＩと、ブラウズモードであることを通知するための「ＢＲＳ」を表示したブラウズ表示領域ＢＡと、ＲＡＭ３３に書き込んだ当該コンテンツリストＣＬの最上位階層の項目である例えばアルバム「Ａｌｂｕｍｓ」を表示した１行表示領域ＳＡと、ロータリーエンコーダボタン２６の回転方向をユーザに対して目視確認させるための回転方向指示領域ＲＤとからなる選択画面ＳＧ１を生成し、当該選択画面ＳＧ１を表示部６に表示する。
【００８９】
そしてカーオーディオビデオ装置１のＣＰＵ３１は、ロータリーエンコーダボタン２６が右方向へ回転操作され、回転検出部４６及び入力処理部４１を介して右回転信号を受信する毎に、コンテンツリストＣＬにおける選択されている階層の項目を上から下へ順に移動させ、その結果得られる１つの項目だけを１行表示領域ＳＡに表示するようになされている。
【００９０】
またカーオーディオビデオ装置１のＣＰＵ３１は、ロータリーエンコーダボタン２６が左方向へ回転操作され、回転検出部４６及び入力処理部４１から左回転信号を受信する毎に、コンテンツリストＣＬにおける選択されている階層の項目を下から上へ順に移動させ、その結果得られる１つの項目だけを１行表示領域ＳＡに表示するになされている。
【００９１】
カーオーディオビデオ装置１のＣＰＵ３１は、選択画面ＳＧ１（図８（Ａ））の１行表示領域ＳＡにアルバム「Ａｌｂｕｍｓ」を表示している状態で、ロータリーエンコーダボタン２６が押下操作されたことを認識すると、１行表示領域ＳＡへの表示対象項目を当該アルバム「Ａｌｂｕｍｓ」の下位階層へ遷移する。
【００９２】
このときカーオーディオビデオ装置１のＣＰＵ３１は、図８（Ｂ）に示すように、ブラウズアイコンＢＩと、ブラウズ表示領域ＢＡと、コンテンツリストＣＬにおけるアルバム「Ａｌｂｕｍｓ」の下位階層の項目のうち、第１アルバム名「Ａｌｂｕｍ０１」を表示した１行表示領域ＳＡと、回転方向指示領域ＲＤとからなるアルバム選択画面ＳＧ２を生成し、当該アルバム選択画面ＳＧ２を表示部６に表示する。
【００９３】
カーオーディオビデオ装置１のＣＰＵ３１は、アルバム選択画面ＳＧ２の１行表示領域ＳＡに第１アルバム名「Ａｌｂｕｍ０１」を表示している状態で、ロータリーエンコーダボタン２６が押下操作されたことを認識すると、１行表示領域ＳＡへの表示対象項目を当該第１アルバム名「Ａｌｂｕｍ０１」の下位階層へ遷移する。
【００９４】
このときカーオーディオビデオ装置１のＣＰＵ３１は、図８（Ｃ）に示すように、ブラウズアイコンＢＩと、ブラウズ表示領域ＢＡと、コンテンツリストＣＬにおける第１アルバム名「Ａｌｂｕｍ０１」の下位階層の項目のうち、曲名「Ｔｒａｃｋ０１」を表示した１行表示領域ＳＡと、回転方向指示領域ＲＤとからなる曲選択画面ＳＧ３を生成し、当該曲選択画面ＳＧ３を表示部６に表示する。
【００９５】
カーオーディオビデオ装置１のＣＰＵ３１は、曲選択画面ＳＧ３の１行表示領域ＳＡに曲名「Ｔｒａｃｋ０１」を表示している状態で、ロータリーエンコーダボタン２６が押下操作されたことを認識すると、ＵＳＢインタフェース７及びＵＳＢ接続処理部３８を介して接続された携帯音楽プレーヤから曲名「Ｔｒａｃｋ０１」に対応する音楽コンテンツを受信し、当該音楽コンテンツに対応する再生音声を電子ボリューム部３６及びアンプ３７により所定レベルに増幅した後、その増幅した再生音声をスピーカから出力するといったストリーミング再生を行う。
【００９６】
このときカーオーディオビデオ装置１のＣＰＵ３１は、図８（Ｄ）に示すように、音楽コンテンツのストリーミング再生を行う同時に、その音楽コンテンツのアルバム名を表示したアルバム名表示領域ＡＮと、その音楽コンテンツの曲名「Ｔｒａｃｋ０１」を表示した曲名表示領域ＭＭと、その音楽コンテンツに対応した音声の再生時間「００：０３」を表示した再生時間表示領域ＳＴとからなる曲再生画面ＳＧ４を生成し、当該曲再生画面ＳＧ４を表示部６に表示する。
【００９７】
ここで回転方法指示領域ＲＤについて説明する。カーオーディオビデオ装置１のＣＰＵ３１は、１行表示モードにおいて選択画面ＳＧ１（図８（Ａ））、アルバム選択画面ＳＧ２（図８（Ｂ））及び曲選択画面ＳＧ３（図８（Ｃ））に対して回転方法指示領域ＲＤを表示するようになされている。
【００９８】
カーオーディオビデオ装置１のＣＰＵ３１は、図９（Ａ）〜（Ｅ）に示すように、選択画面ＳＧ１、アルバム選択画面ＳＧ２及び曲選択画面ＳＧ３を表示部６に表示している状態で、ロータリーエンコーダボタン２６が例えば右方向へ回転操作され、回転検出部４６及び入力処理部４１を介して右回転信号を受信すると、回転方向指示領域ＲＤの右側及び左側にそれぞれ例えば７個の矩形表示子ＳＤを、時間経過と共に変化させながら表示する。
【００９９】
具体的には、カーオーディオビデオ装置１のＣＰＵ３１は、左側の７個の矩形表示子ＳＤを下から上へ順に２個ずつ（最後は１個）表示するようにし、右側の７個の矩形表示子ＳＤを上から下へ順に２個ずつ（最後は１個）表示するように、時間経過と共に表示する矩形表示子ＳＤを増加させるようになされている。
【０１００】
このようにしてカーオーディオビデオ装置１のＣＰＵ３１は、回転方向指示領域ＲＤに表示する矩形表示子ＳＤを時間経過と共に変化させることにより、ユーザに対してロータリーエンコーダボタン２６が右方向に回転操作させていることを視覚的に通知するようになされている。
【０１０１】
なおカーオーディオビデオ装置１のＣＰＵ３１は、ロータリーエンコーダボタン２６が左方向へ回転操作された場合、上述したロータリーエンコーダボタン２６が右方向へ回転操作された場合とは逆に、回転方向指示領域ＲＤに表示する矩形表示子ＳＤを時間経過と共に変化させるようになされている。
【０１０２】
（３）動作及び効果
以上の構成において、カーオーディオビデオ装置１のＣＰＵ３１は、ブラウズボタン２７が押下操作されると、ブラウズモードへ遷移し、ＵＳＢインタフェース７及びＵＳＢ接続処理部３８を介して携帯音楽プレーヤからコンテンツリストＣＬを取得することにより、当該コンテンツリストＣＬを用いた検索をユーザに対して提供することができ、かくして携帯音楽プレーヤと同様の検索手法をユーザに提供することができる。
【０１０３】
またカーオーディオビデオ装置１のＣＰＵ３１は、ブラウズボタン２７が押下操作されると、ＬＥＤ処理部４２及びリングＬＥＤ４４を介してリング照明２６Ａを点滅させることにより、次に実行すべき操作がロータリーエンコーダボタン２６に対する操作であることを視覚的に通知し、当該ロータリーエンコーダボタン２６に対する操作をユーザに促すことができる。
【０１０４】
さらにカーオーディオビデオ装置１のＣＰＵ３１は、ブラウズボタン２７が押下操作されると、検索処理を実行していることをユーザに対して通知及び目視確認させるためのブラウズアイコンＢＩと、コンテンツリストＣＬにおける最上位階層の項目等とが表示された選択画面ＴＧ１及びＳＧ１（図６（Ａ）及び図８（Ａ））を生成し、当該選択画面ＴＧ１及びＳＧ１を表示部６に表示するようにしたことにより、ユーザに対して携帯音楽プレーヤに記憶された音楽コンテンツを検索している旨を通知することができる。
【０１０５】
またカーオーディオビデオ装置１のＣＰＵ３１は、ロータリーエンコーダボタン２６が回転操作されたことに応じて、コンテンツリストＣＬの項目を移動させながら表示部６に表示し、ロータリーエンコーダボタン２６が押下操作されると、３行表示における選択カーソルＣＳがフォーカスした項目、及び１行表示における１行表示領域ＳＡに表示された項目の下位階層へ遷移し、これを繰り返し行わせることにより、当該コンテンツリストＣＬの上位階層から下位階層へ遷移してユーザ所望の音楽コンテンツを検索させることができる。
【０１０６】
このようにカーオーディオビデオ装置１は、ロータリーエンコーダボタン２６、ブラウズボタン２７及びバックボタン２８が設けられ、ユーザに対して、「検索」をイメージする虫眼鏡マーク２７Ａが付されたブラウズボタン２７を押下操作させることによってブラウズモードを開始するようにした。
【０１０７】
続いてカーオーディオビデオ装置１は、リング照明２６Ａを点滅させることによりロータリーエンコーダボタン２６に対する操作を促し、ロータリーエンコーダボタン２６を回転操作及び押下操作させることにより、コンテンツリストＣＬの上位階層から下位階層へ遷移してユーザ所望の音楽コンテンツを検索できるようにした。
【０１０８】
従ってカーオーディオビデオ装置１は、コンテンツリストＣＬによりユーザ所望の音楽コンテンツを検索させる際、次に行う操作をイメージさせるようにしたことによって、フロントパネル３の表示部６、ロータリーエンコーダボタン２６、ブラウズボタン２７及びバックボタン２８がいわゆる直感的インタフェースとして連携的に機能し、無意識に操作方法をユーザに対して理解させることができる。
【０１０９】
さらにカーオーディオビデオ装置１のＣＰＵ３１は、ブラウズモードにおいて、ＡＭＳ＋ボタン２４の押下操作に応じてジャンプモードへ遷移するようにしたことにより、同一階層に多くの項目が存在する場合、一定の割合に応じたジャンプ量だけ項目を下方向へ移動させた後、ロータリーエンコーダボタン２６に対する回転操作に応じた検索処理を行うことができるので、ロータリーエンコーダボタン２６に対する最少量の回転操作だけで所望の項目（曲名）を検索させることができる。
【０１１０】
またカーオーディオビデオ装置１は、フロントパネル３上のロータリーエンコーダボタン２６と運転席との間のスペースにブラウズボタン２７及びバックボタン２８が設けられているため、ブラウズモードのときの操作に用いるロータリーエンコーダボタン２６、ブラウズボタン２７及びバックボタン２８を特に探させる必要がなく、また手探り状態においても容易に使用させることができるので、ユーザに対する操作性を一段と向上させることができ、かつ一段と安全性を向上することができる。
【０１１１】
以上の構成によれば、ロータリーエンコーダボタン２６と、フロントパネル３上の当該ロータリーエンコーダボタン２６と運転席との間のスペースにブラウズボタン２７及びバックボタン２８とが設けられ、外部機器である携帯音楽プレーヤ内の音楽コンテンツを検索する際、その操作方法を無意識かつ直感的に理解させることができ、かくして外部機器が保持する音楽コンテンツをユーザに対して操作性よく検索操作させることができる。
【０１１２】
（４）他の実施の形態
なお上述した実施の形態においては、フロントパネル３の外観構成としてロータリーエンコーダボタン２６に対して、左上にブラウズボタン２７、左下にバックボタン２８が設けられるようにした場合について述べたが、本発明はこれに限らず、図２との対応部分に同一符号を付した図１０に示すように、フロントパネル１０３の外観構成としてロータリーエンコーダボタン２６の左側にブラウズボタン１２７及びバックボタン１２８を水平方向に並べられた状態で設けられるようにしても良い。
【０１１３】
すなわち、フロントパネル１０３上のロータリーエンコーダボタン２６と運転席との間のスペースにブラウズボタン１２７及びバックボタン１２８が設けられていれば、上述した実施例と同様の効果を得ることができる。因みにフロントパネル１０３では、ブラウズボタン１２７及びバックボタン１２８の下方向にＡＭＳ−ボタン１２５が設けられている。
【０１１４】
また上述した実施の形態においては、運転席が車両の左側に設けられた場合に、フロントパネル３を適用するようにした場合について述べたが、本発明はこれに限らず、図２との対応部分に同一符号を付した図１１に示すように、運転席が車両の右側に設けられた場合、フロントパネル２０３上のエンコーダ２２６と運転席との間のスペースにブラウズボタン２２７及びバックボタン２２８とが設けられたフロントパネル２０３を適用するようにしても良い。
【０１１５】
すなわち、フロントパネル２０３上のエンコーダ２２６と運転席との間のスペースにブラウズボタン２２７及びバックボタン２２８が設けられていれば、上述した実施例と同様の効果を得ることができる。
【０１１６】
さらに上述した実施の形態においては、フロントパネル３のＵＳＢインタフェース７を介して携帯音楽プレーヤが接続されるようにした場合について述べたが、本発明はこれに限らず、図１２に示すように、カーオーディオビデオ装置３０１における本体部３０２の背面３０２ＢにＵＳＢケーブル３５０が設けられており、当該ＵＳＢケーブル３５０及びその一端のＵＳＢソケット３５０Ａを介して携帯音楽プレーヤが接続されるようにしても良い。
【０１１７】
この場合、カーオーディオビデオ装置３０１は、図１３に示すように、車両５０１のダッシュボード内に配置され、ＵＳＢケーブル３５０の一端のＵＳＢソケット３５０Ａが車両５０１の車内に露出するようになされている。
【０１１８】
カーオーディオビデオ装置３０１は、ＵＳＢケーブル３５０の一端のＵＳＢソケット３５０ＡとＵＳＢケーブル４０２の一端のＵＳＢプラグ４０２Ａとが接続され、当該ＵＳＢケーブル４０２の多端のＵＳＢプラグ４０２Ｂと携帯音楽プレーヤ４０１とが接続されることにより、ＵＳＢケーブル３５０及びＵＳＢケーブル４０２を介して携帯音楽プレーヤ４０１と接続するようになされている。
【０１１９】
さらに上述した実施の形態においては、ブラウズモードへ遷移した場合、ＵＳＢインタフェース７及びＵＳＢ接続処理部３８を介して接続された携帯音楽プレーヤが保持する音楽コンテンツを検索するようにした場合について述べたが、本発明はこれに限らず、例えばＵＳＢインタフェース７及びＵＳＢ接続処理部３８を介して接続されたＵＳＢメモリの音楽コンテンツ又はディスク挿入口１３から挿入されたＣＤの音楽コンテンツを検索するようにしても良い。
【０１２０】
さらに上述した実施の形態においては、ブラウズモードへ遷移した場合、ＵＳＢインタフェース７及びＵＳＢ接続処理部３８を介して接続された携帯音楽プレーヤが保持する音楽コンテンツを検索させるようにした場合について述べたが、本発明はこれに限らず、携帯音楽プレーヤが保持する動画コンテンツや画像コンテンツ等を検索させるようにしても良い。
【０１２１】
この場合、カーオーディオビデオ装置１のＣＰＵ３１は、下位階層において例えば動画コンテンツのサムネイル画像を項目として表示部６に表示することによって、ユーザに対して動画コンテンツを検索させるようにすれば良い。
【０１２２】
さらに上述した実施の形態においては、ブラウズモードへ遷移した場合、ＵＳＢインタフェース７及びＵＳＢ接続処理部３８を介して接続された携帯音楽プレーヤが保持する音楽コンテンツを検索させるようにした場合について述べたが、本発明はこれに限らず、ブラウズモードを実行中に、携帯音楽プレーヤ以外の音楽コンテンツも検索させるようにしても良い。
【０１２３】
この場合、カーオーディオビデオ装置１のＣＰＵ３１は、ブラウザモード中に例えばソースボタン２２が押下操作されたことを認識すると、例えばＣＤの音楽コンテンツのコンテンツリストを当該ＣＤから取得し、当該取得したコンテンツリストをＲＡＭ３３に書き込む。そしてカーオーディオビデオ装置１のＣＰＵ３１は、ＲＡＭ３３に書き込んだコンテンツリストの項目を表示部６に表示することにより、ＣＤの音楽コンテンツを検索させることができる。
【０１２４】
さらに上述した実施の形態においては、ブラウズモードへ遷移した場合、ＵＳＢインタフェース７及びＵＳＢ接続処理部３８を介して接続された携帯音楽プレーヤが保持する音楽コンテンツを検索させるようにした場合について述べたが、本発明はこれに限らず、ブラウズモードを実行中に、携帯音楽プレーヤに加えて、カーオーディオビデオ装置１の例えば内部ストレージ（ハードディスクドライブ（図示せず）等）、及びＣＤ、ＤＶＤ（Digital Versatile Disc）等が再生可能なメディアプレーヤ（図示せず）に装着されたＣＤ、ＤＶＤ等に格納された音楽コンテンツ及びビデオコンテンツをも含めて検索させるようにしても良い。
【０１２５】
さらに上述した実施の形態においては、ブラウズモード中にＡＭＳ＋ボタン２４が押下操作されると、ジャンプモードへ遷移するようにした場合について述べたが、本発明はこれに限らず、ロータリーエンコーダボタン２６が回転操作され、入力処理部４１から所定時間内に所定回数以上の右回転信号又は左回転信号を受信した場合、ジャンプモードへ遷移するようにしても良い。
【０１２６】
この場合、カーオーディオビデオ装置１は、ブラウズモードの全ての操作をロータリーエンコーダボタン２６、ブラウズボタン２７及びバックボタン２８で行わせることができ、ＡＭＳ＋ボタン２４を使用させないで済む分、操作性を一段と向上させることができる。
【０１２７】
さらに上述した実施の形態においては、ＵＳＢインタフェース７及びＵＳＢ接続処理部３８を介して携帯音楽プレーヤからコンテンツリストＣＬ及び音楽コンテンツを受信するようにした場合について述べたが、Bluetooth（登録商標）、ＩｒＤＡ（Infrared Data
Association）、又はIEEE（Institute of Electrical and Electronics Engineers）802.11系の無線ＬＡＮ（Local Area Network）等のその他種々の無線通信方法によって携帯音楽プレーからコンテンツリストＣＬ及び音楽コンテンツを受信するようにしても良い。
【０１２８】
さらに上述した実施の形態においては、ジャンプモードにおいて、回転検出部４６及び入力処理部４１を介して右回転信号又は左回転信号を受信すると、ジャンプ数として全項目数の１０％に応じた量だけ増加又は減少させるようにした場合について述べたが、本発明はこれに限らず、全項目数の例えば５％、１５％等の任意の値に応じた量だけ増加又は減少させるようにしてもよいし、ユーザが設定した割合に応じた量だけ増加又は減少させるようにしても良い。
【０１２９】
さらに上述した実施の形態においては、カーナビゲーション装置１のＣＰＵ３１が、予めＲＯＭ３２に格納されているアプリケーションプログラムに従い、上述したルーチンＲＴ１の音楽コンテンツ検索及びイルミネーションガイダンス処理手順を行うようにした場合について述べたが、本発明はこれに限らず、記憶媒体からインストールしたアプリケーションプログラムや、インターネットからダウンロードしたアプリケーションプログラム、その他種々のルートによってインストールしたアプリケーションプログラムに従って上述した音楽コンテンツ検索及びイルミネーションガイダンス処理手順を行うようにしても良い。
【０１３０】
さらに上述した実施の形態においては、接続部としてＵＳＢインタフェース７、第１の操作ボタンとしてブラウズボタン２７、コンテンツリスト取得部としてＣＰＵ３１、記憶部としてＲＡＭ３３、第２の操作ボタンとしてロータリーエンコーダボタン２６、第３の操作ボタンとしてバックボタン２８、発光制御部としてＬＥＤ処理部４２、第４の操作ボタンとしてＡＭＳ＋ボタン２４によって本発明の車載機器としてのカーオーディオビデオ装置１を構成するようにした場合について述べたが、本発明はこれに限らず、この他種々の構成でなる接続部、第１の操作ボタン、コンテンツリスト取得部、記憶部、第２の操作ボタン、第３の操作ボタン、発光制御部、第４の操作ボタンによって車載機器を構成するようにしても良い。
【産業上の利用可能性】
【０１３１】
本発明の車載機器は、例えばカーオーディオビデオ装置以外のカーオーディオ装置、カーナビゲーション装置等のその他種々に実装された車載機器、及びホームオーディオ機器に適用することができる。
【図面の簡単な説明】
【０１３２】
【図１】カーオーディオビデオ装置の外観構成を示す略線図である。
【図２】フロントパネルの外観構成を示す略線図である。
【図３】カーオーディオビデオ装置の回路構成を示す略線図である。
【図４】コンテンツリストの構成を示す略線図である。
【図５】ブラウズモードにおける音楽コンテンツ検索及びイルミネーションガイダンス処理手順の説明に供するフローチャートである。
【図６】３行表示における表示画面（１）を示す略線図である。
【図７】３行表示における表示画面（２）を示す略線図である。
【図８】１行表示における表示画面を示す略線図である。
【図９】１行表示の回転方向指示領域に対する右回転を示す表示の様子を示す略線図である。
【図１０】他の実施形態におけるフロントパネルの外観構成（１）を示す略線図である。
【図１１】他の実施形態におけるフロントパネルの外観構成（２）を示す略線図である。
【図１２】他の実施形態におけるカーオーディオビデオ装置を示す略線図である。
【図１３】他の実施形態におけるカーオーディオビデオ装置及び携帯音楽プレーヤの接続の様子を示す略線図である。
【符号の説明】
【０１３３】
１……カーオーディオビデオ装置、２……本体部、３……フロントパネル、４……操作ボタン群、５……ナンバーボタン群、６……表示部、７……ＵＳＢインタフェース、８……ＡＵＸ入力端子、９……オープンボタン、１０……フロントパネル支持板、１０Ｘ……回転軸、１１……ロック爪、１２……ロック爪受部、１３……ディスク挿入口、１４……コネクタ、１５…コネクタ、２１……電源オフボタン、２２……ソースボタン、２３……モードボタン、２４……ＡＭＳ＋ボタン、２５……ＡＭＳ−ボタン、２６……ロータリーエンコーダボタン、２７……ブラウズボタン、２８……バックボタン、３１……ＣＰＵ、３２……ＲＯＭ、３３……ＲＡＭ、３４……チューナ部、３５……ＣＤ再生部、３６……電子ボリューム部、３７……アンプ、３８……ＵＳＢ接続処理部、４１……入力処理部、４２……ＬＥＤ処理部、４４……リングＬＥＤ、４５……ボタンＬＥＤ、４６……回転検出部、４７……押下検出部。
【図１】
0004403520.tif 000002
【図２】
0004403520.tif 000003
【図３】
0004403520.tif 000004
【図４】
0004403520.tif 000005
【図５】
0004403520.tif 000006
【図６】
0004403520.tif 000007
【図７】
0004403520.tif 000008
【図８】
0004403520.tif 000009
【図９】
0004403520.tif 000010
【図１０】
0004403520.tif 000011
【図１１】
0004403520.tif 000012
【図１２】
0004403520.tif 000013
【図１３】
0004403520.tif 000014